(57)【特許請求の範囲】
【請求項１】
ベースフィルムの片面に洗浄溶剤を塗着した後、前記洗浄溶剤が前記ベースフィルム上に残存している間に溶剤掻き落とし手段をベースフィルムに押しつけることにより、前記溶剤とともに前記ベースフィルムに付着した付着物を剥離させ掻き落とす磁気記録媒体の製造方法において、前記洗浄溶剤と同種の溶剤を、前記洗浄溶剤と前記付着物を前記ベースフィルムから掻き落とした後、前記ベースフィルムの前記洗浄溶剤が塗着されていた側の表面を大気空間に晒すことなく、１０〜１５ｃｃ／ｍ２の塗布量で直ちに塗着させるベースフィルムの除塵方法。
【請求項２】
搬送されるベースフィルムの片面に洗浄溶剤を塗着する第１塗着手段と、搬送方向において前記第１塗着手段の下流側に配設され、且つ、前記ベースフィルムに押し付けられることにより、前記片面に付着した付着物とともに前記洗浄溶剤を掻き落とす溶剤掻き落とし手段と、該搬送方向において前記溶剤掻き落とし手段の直後に空間を介さずに配設され、且つ、該洗浄溶剤と同種の溶剤を１０〜１５ｃｃ／ｍ２の塗布量で前記片面に塗着する第２塗着手段と、を具備することを特徴とするベースフィルムの除塵装置。
【発明の詳細な説明】
【０００１】
【発明の属する技術分野】
本発明は、可撓性支持体（以下、単に「ベースフィルム」と称する）の表面に付着した異物、ゴミ等を除去する、所謂、ベースフィルムの除塵方法及び装置に関するものである。
なお、本発明で言う「ベースフィルム」とは、一般に、厚さが数μｍ乃至数100 μｍのポリエチレンテレフタレート、ポリエチレン−２，６−ナフタレート、セルロースダイアセテート、セルローストリアセテート、セルロースアセテートプロピオネート、ポリ塩化ビニル、ポリ塩化ビニリデン、ポリカーボネート、ポリイミド、ポリアミド、等の樹脂フィルムや、ポリエチレン、ポリプロピレン、エチレンブテン共重合体、等の炭素数が２〜10のα−ポリオレフィン類を塗布又はラミネートした紙；アルミニウム、銅、錫、等の金属箔等から成る可撓性帯状物、あるいは該帯状物を基材としてその表面に予備的な加工層を形成せしめてある帯状物をいう。
【０００２】
更に、前述したベースフィルムは、その用途に応じた塗布液例えば写真感光性塗布液、磁性塗布液、表面保護、帯電防止あるいは滑性用塗布液等がその片面もしくは両面に塗布され、乾燥等した後、所望する幅及び長さに裁断されるものであり、その代表的な用途として各種写真フィルム、印画紙、磁気テープ等の磁気記録媒体等が挙げられる。
【０００３】
【従来の技術】
上記の如く各種用途に用いられるベースフィルムは、塗布処理の前段階として、その表面に予め付着した塵埃等を強制的に除去するいわゆる除塵処理を処すことが一般的である。周知の除塵方法としては、まず、ベースフィルムの表面に不織布或いはブレード等を押しつけるという方法や又清浄度のよい空気を高速或いは超音波振動させてベースフィルムに吹き付けて、付着物を該ベースフィルム表面からはく離させ、近設された吸込み口に導いてゆくという方法がある。これらはいずれも乾式のベースフィルム除塵方法であるが、これに対して湿式のベースフィルム除塵方法としてベースフィルムを洗浄層内に導入し、ここで超音波振動等により付着物を剥離させる方法や、ベースフィルムに洗浄液を供給した後に高速空気の吹き付け、吸い込みを行う方法が知られている。これらの洗浄方法は数十μｍ以上の比較的大きな付着物、或いは付着力の比較的弱い付着物には有効であるが、小さな付着物或いは比較的付着力の強い付着物についてはほとんど効果が認められなかった。
【０００４】
そこで、これらの問題を解決すべく、特公平５−５０４１９号公報に開示されるように、溶剤（以下、係る目的に供する溶剤を洗浄溶剤と呼ぶ）を塗着した後、溶剤が残存している間にベースフィルム走行方向と反対方向に回転するロッド部材を押しつけ、付着物を剥離させ掻き落とす方法が提案された。これは、洗浄溶剤を塗着した後にベースフィルムと反対方向に回転するロッド部材を押しつけることによりベースフィルムとロッド部材との間に小さな隙間を画成し、この隙間より大きな付着物の通過を阻止するとともに、溶剤を介して付着物に剪断力をかけるため、より小さな付着物或いは比較的付着力の強い付着物についても除塵効果が認められるものであった。
【０００５】
一方、磁気記録媒体の高密度化に伴い、ベースフィルムの表面の付着物の除去に関する要求レベルは一層厳しくなり、更に除塵効果の高い方法が求められるようになっている。
前述のベースフィルム走行方向と反対方向に回転するロッド部材を押しつける方法の場合、除塵効果を上げる手段としては、例えばロッド部材の曲率を小さくし、ロッド部材とベースフィルムとの間の面圧を上げ、該部材間に画成される隙間をさらに小さくすることによって、小さな付着物でも通過できないようにするとともに付着物に溶剤を介した高い剪断力を付与することが考えられる。
【０００６】
さらに他の洗浄方法としては、特開昭６２−６５８７２号公報に開示されるように、前記ベースフィルム走行方向と反対方向に回転するロッド部材の代わりにシャープエッジを有するブレードを配置することにより、洗浄効果を高める方法が提案されている。
【０００７】
【発明が解決しようとする課題】
しかしながら、これら高い剪断力を付与している除塵方法は、除塵工程終了後ベースフィルムが帯電し、浮遊するゴミ等をベースフィルムに再付着させるといった問題点があった。通常この問題に対しては、除塵工程終了後に一般的な除電装置を配置するなどの施策を施していたが、帯電量によっては一般的な除電装置では完全に帯電を除去できないといった問題が新たに発生した。
【０００８】
本発明は、前述した従来技術が有する問題点に鑑みなされたものであり、高い除塵効果を維持しながらベースフィルムへの帯電を低減する効率的なベースフィルムの除塵方法及び装置を提供することを目的とするものである。
【０００９】
【課題を解決するための手段】
本発明のかかる目的は、ベースフィルムの片面に洗浄溶剤を塗着した後、前記洗浄溶剤が前記ベースフィルム上に残存している間に溶剤掻き落とし手段をベースフィルムに押しつけることにより、前記溶剤とともに前記ベースフィルムに付着した付着物を剥離させ掻き落とす磁気記録媒体の製造方法において、前記洗浄溶剤と同種の溶剤または添加物を混合した洗浄溶剤と同種の溶剤を、前記洗浄溶剤と前記付着物を前記ベースフィルムから掻き落とした後、前記ベースフィルムの前記洗浄溶剤が塗着されていた側の表面を大気空間に晒すことなく、直ちに塗着させるベースフィルムの除塵方法によって達成される。
【００１０】
前記ベースフィルムの除塵方法において、前記溶剤掻き落とし手段の直後に大気空間を介さずに塗着させる洗浄溶剤と同種の溶剤または洗浄溶剤と同種の溶剤に添加物を混ぜたものは、少なくとも５〜１５cc/m2 、好ましくは１０〜１５cc/m2 が好ましい。これは、５cc/m2 未満では帯電防止効果が期待できず、１５cc/m2 を越えると乾燥負荷が大となるからである。
【００１１】
また、本発明のかかる目的は、搬送されるベースフィルムの片面に洗浄溶剤を塗着する第１塗着手段と、
搬送方向において前記第１塗着手段の下流側に配設され、且つ、前記ベースフィルムに押し付けられることにより、前記片面に付着した付着物とともに前記洗浄溶剤を掻き落とす溶剤掻き落とし手段と、
該搬送方向において前記溶剤掻き落とし手段の直後に空間を介さずに配設され、且つ、該洗浄溶剤と同種の溶剤、または添加物を混合した該洗浄溶剤と同種の溶剤を前記片面に塗着する第２塗着手段と、を具備することを特徴とするベースフィルムの除塵装置によって達成される。
【００１２】
【実施態様】
以下、添付した図面に基づき、本発明の実施態様について詳述する。
図１は本発明の一実施態様であるベースフィルムの除塵装置及び方法を適用した磁気記録媒体の製造設備の概略構成図である。
図１に示した如く、磁気記録媒体の製造設備１００は、ロール状のベースフィルム１を配し、前記ベースフィルム１を連続的に供給する送り出し装置２と、ベースフィルム１の搬送を案内する複数のガイドローラ６と、搬送中のベースフィルム１にテンションを適当に付与するテンションローラ３と、ベースフィルム１を除塵する除塵装置５０と、除塵により湿潤化したベースフィルム１を乾燥させる第１乾燥部５ａと、乾燥したベースフィルム１に磁性分散液を塗布する磁性分散液塗布装置６０と、塗布した磁性分散液を乾燥させる第２乾燥部５ｂと、乾燥したベースフィルム１をロール状に巻き取る巻取り装置７０と、から構成される。上記構成において、送り出し装置２から供給されたベースフィルム１は、適宜配設されたテンションロール３を介して適当なテンションを付与された状態で、複数本のガイドローラー６間に装架され所定の方向に搬送される。
【００１３】
ベースフィルム１の除塵装置５０は、ベースフィルム１の片面に洗浄溶剤１５を塗着する第１塗着手段としてのプレコート装置４と、搬送方向において該プレコート装置４の下流側に配設され且つ該洗浄溶剤１５が前記ベースフィルムの表面から揮発せず残存している間にベースフィルム１に付着した付着物とともに大部分の該洗浄溶剤１５を掻き落とすロッド部材７と、該搬送方向において前記ロッド部材７の直後であって、前記ベースフィルムの前記洗浄溶剤が塗着された面が大気空間に晒されることのないよう配設され且つ該洗浄溶剤と同種の溶剤、添加物の混合した該洗浄溶剤と同種の溶剤をベースフィルム１に塗着するための第２塗着手段としてのスリット１３から主に構成される。
【００１４】
該洗浄溶剤としては、メチルエチルケトン、酢酸ブチル、シクロヘキサン、トルエン或いはそれらの混合液が、更にはそれらの洗浄溶剤もしくは混合液を主成分として種々のバインダーを添加したもので粘度が２０ｃｐ以下、好ましくは５ｃｐ以下が用いられる。
次に図２乃至図３を参照しつつ、本発明の一実施態様であるベースフィルムの除塵装置及び方法について詳述する。図２は、本発明の一実施態様である除塵装置の斜視図であり、図３は図２に示した除塵装置の断面図である。
【００１５】
本発明の一実施態様であるベースフィルム１の除塵装置５０の頂点部には、ガイドローラ６間で搬送されるベースフィルム１の除塵すべき面と若干のラップ角を以て接触可能なロッド部材７が配設されている。該ロッド部材７は直径１mmφ〜50mmφの少なくともその表面材質が超硬材料（例えば、ＷＣ−ＴＡＣ）またはセラミックのような硬質材で、その面長がべースフィルム１の全巾よりも大きく設定されている。また、ロツド部材７は該ロッド部材７の面長とほぼ同等の幅を有するブロック８によって回転可能な状態に保持されつつ、一端部に連結されたモータ９などの回転駆動手段によりべースフィルム１の走行方向Ａとは反対方向Ｂに定速回転できる構成になっている。通常、ロッド部材７の回転速度は10rpm 〜500rpmの範囲に設定される。何故ならば、高速回転時には液ハネが生じ、品質欠陥を起こす為である。
【００１６】
ベースフィルム１の搬送方向におけるロッド部材７の上流側には、該ベースフィルム１に洗浄溶剤１５を塗着するプレコート装置４が配設されている。図１に示した如く、該プレコート装置４は、洗浄溶剤１５が貯蔵された洗浄溶剤用タンク１１と、洗浄溶剤１５を圧送するポンプ１２ａと、圧送された洗浄溶剤１５を濾過するフィルタ１２ｂと、濾過された洗浄溶剤１５をベースフィルム１の片面に洗浄溶剤１５噴射する多段注射針型ノズル１２ｃとから構成される。
【００１７】
プレコート装置４により塗り付けられた洗浄溶剤１５は、大部分が回転するロッド部材７の上流側で付着物１６とともに掻き落とされ、掻き落とされた洗浄溶剤１５はブロック８下に配置されている液受け１０により回収された後洗浄溶剤用タンク１１に戻される。この時、少量の洗浄溶剤１５はロッド部材７とべースフィルム１との間に画成された隙間に突入し薄い洗浄溶剤層１９がべースフィルム面上に形成される。
【００１８】
さらに、ブロック８には、ロッド部材７の下流側にべースフィルム１の走行方向Ａの直交方向Ｃに伸長するスリット１３が設けられ、スリット１３はブロック８の底部に設けられたポケット部１４に連通している。スリット１３の構造は通常0.05mm〜１mm、より好ましくは 0.1mm〜0.5mm 、もっとも好ましくは 0.2mm〜0.3mm の間隔の平行な２面１３ａ，１３ｂで構成されており、ポケット部１４の断面形状はスリット１３の間隔より大きな直径を有する略円形である。何故ならば、スリットを狭くすると圧力損失が大きくなる為、大型のポンプが必要になり、広くするとスリット内での流速が落ちるため均一な液膜が形成されない。ブロック８の上流部にはロッド部材７を支持する断面形状が半円形でロッド部材７とほぼ同等の径の溝８ａが設けられており、またブロック８の下流部にはエッジ８ｂが設けられている。
【００１９】
すなわち、ブロック８は、洗浄溶剤用タンク１１からポンプ１８ａにより圧送されて洗浄溶剤１５と同種の溶剤が、５cc/m2 〜１５cc/m2 の範囲で、フィルタ１８ｂ、ポケット部１４及びスリット１３を通して、ロッド部材７の下流側より空間を介さずにべースフィルム１に塗布できる構造になっている。
また、ロッド部材７の下流側に配設されたガイドローラー６には、その高さ方向の位置を調整可能な図示せぬ周知の高さ調整装置が設けられており、べースフィルム１とロッド部材７とのラップ角度或いはべースフィルム１とブロック８の下流側エッジ８ｂとの隙間が適宜調整できるようになっている。
【００２０】
【実施例】
厚さ60μｍ、幅1000mmのポリエチレンテレフタレートのベースフィルムを２００m/min の速度で搬送し、図２に準じたロッド部材７により除塵した後、洗浄溶剤と同種の溶剤（メチルエチルケトン) をロッド部材７の下流側より塗付けた。洗浄溶剤としてはメチルエチルケトンを用い、ロッド部材は超硬材で直径３mmφ、表面粗さＲmax 0.2 μｍのものを100rpmでべースフィルムの走行方向と反対方向に定速回転させた。ロッド部材７の下流側より塗布する溶剤量を０cc/m2 〜２０cc/m2 の範囲でかえてロッド部材７を通過直後のべースフィルム帯電量を測定した。その結果を図３に示す。
【００２１】
ロッド部材７の下流側より溶剤を５cc/m2 以上塗布することにより帯電に対して良好な結果を得た。また、15cc/m2 以上塗布してもあまり帯電量は変化しなかつた。従って、ロッド部材７の下流側より塗布する溶剤は、５cc/m2 以上であること、さらには５cc/m2 〜15cc/m2 の範囲であることが好ましい。
【００２２】
【その他の実施例】
上記で述べた除塵装置は本発明の一例であり、プレコート装置により多量に塗布された洗浄溶剤を付着物と共に掻き落とすタイプの除塵装置であれば、適宜変更可能である。例えば、ロッド部材７を図５に示す本発明の他の実施態様のように固定の曲面部材３０に置き換えたり、図６に示す本発明のさらなる他の実施態様のようにロッド部材７を掻き落としシャープエッジ４０を有するブレード４１に置き換えても、同様の効果を得ることができる。
【００２３】
【発明の効果】
以上のように構成される本発明の除塵装置及び方法によれば、高い洗浄効果を維持しながらベースフィルムへの帯電を低減した効率的なベースフィルムの除塵を行うことができるので、高密度及び高容量の記録媒体を提供することが可能となる。
【図面の簡単な説明】
【図１】本発明の一実施態様である除塵装置及び方法を適用した磁気記録媒体の製造設備の概略構成図である。
【図２】本発明の一実施態様である除塵装置の斜視図である。
【図３】本発明の一実施態様である除塵装置の断面図である。
【図４】本発明の除塵方法を適用した実験結果である。
【図５】本発明の他の実施態様例の断面図である。
【図６】本発明のさらなる他の実施態様例の断面図である。
【符号の説明】
１  べースフィルム
２  送り出し装置
３  テンションローラー
４  プレコート装置
５ａ  第１乾燥部
５ｂ  第２乾燥部
６  ガイドローラー
７  ロッド部材
８  ブロック
８ａ  ブロック上流部の溝
８ｂ  ブロック下流部のエッジ
９  モータ
１０  液受け
１１  洗浄溶剤用タンク
１２ａ  ポンプ
１２ｂ  フィルタ
１２ｃ  多段注射針型ノズル
１３  スリット
１４  ポケット
１５  洗剤溶剤
１６  付着物
１８ａ  ポンプ
１８ｂ  フィルタ
１９  薄い洗浄溶剤層
３０  曲面部材
４０  エッジ
４１  ブレード
５０  除塵装置
６０  磁性分散液塗布装置
７０  巻取り装置
１００  磁気記録媒体の製造設備
【図１】
0004046808.tif 000002
【図２】
0004046808.tif 000003
【図３】
0004046808.tif 000004
【図４】
0004046808.tif 000005
【図５】
0004046808.tif 000006
【図６】
0004046808.tif 000007